【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
データベースにアクセスする方法であって、
（ａ）第１の検索要求に応じて、１つ又は２つ以上のレコードを識別する第１の結果セットを生成するステップ、
（ｂ）前記第１の結果セットをユーザに提供するステップ、
（ｃ）ユーザが前記第１の結果セットのレコードにアクセスすることに応じて、前記ユーザによる前記レコードへのアクセスの継続期間を計時するクロックを起動するステップ、
（ｄ）前記１つ又は２つ以上の識別されたレコードのそれぞれについて、該１つ又は２つ以上のレコードのそれぞれが前記ユーザによってアクセスされた継続期間、及び、検索リストにおけるドキュメントの順序に関連付けられたドキュメントナンバーに応じて、前記１つ又は２つ以上のレコードのそれぞれに関連付けられているユーザインタラクションパラメータを作成するステップ、及び
（ｅ）前記第１の結果セットにおいて識別された前記少なくとも１つのレコードに関連付けられている前記ユーザインタラクションパラメータを使用して、前記第１の結果セットにおいて識別された前記レコードの少なくとも１つを含む第２の結果セットのレコードの識別情報を順序付けるステップ
を含む、データベースにアクセスする方法。
【請求項２】
請求項１に記載の方法であって、さらに
（ｆ）ユーザの第１のレコードにアクセスする継続時間が関連性時間枠を超えるとの判断に応じて、前記第１のレコードに関連付けられている前記ユーザインタラクションパラメータを選択的に更新するステップ
を含む、方法。
【請求項３】
請求項１に記載の方法であって、さらに
第１のレコードがアクセスされる継続時間が所定の関連性時間枠を超えることに応じて、前記第１のレコードに関連付けられている前記ユーザインタラクションパラメータを増加させるステップを含む、方法。
【請求項４】
請求項１に記載の方法であって、さらに
前記第１の結果セットの前記１つ又は２つ以上のレコードのランクを検出するステップ、及び第１のレコードがアクセスされる継続時間が所定の関連性時間枠を超えることに応じて、前記関連性時間枠を満たさなかったより高いランクを有するレコードの前記ユーザインタラクションパラメータに対して、前記第１のレコードに関連付けられている前記ユーザインタラクションパラメータを増加させるステップを含む、方法。
【請求項５】
請求項４に記載の方法において、
前記満たされなかった関連性時間枠は、前記レコードがアクセスされなかったことによるものである、方法。
【請求項６】
請求項１に記載の方法において、
前記ユーザによるアクセスの継続期間を計時するクロックを起動するステップは、検索エンジンを有するサーバによって実現される、方法。
【請求項７】
請求項６に記載の方法において、
前記第１の結果セットを生成するステップは、複数のハイパーテキストリンクを生成するステップを含み、該複数のハイパーテキストリンクのそれぞれは、前記サーバにアクセスして、前記関連付けられているレコードがユーザによってアクセスされたことの通知を生成し、前記関連付けられているレコードの前記クロックを起動するように構成される、方法。
【請求項８】
請求項１に記載の方法において、
前記ユーザによるアクセスの継続期間を計時するクロックを起動するステップは、前記ユーザのブラウザによって実現される、方法。
【請求項９】
請求項８に記載の方法において、
前記ブラウザは、クロックと、第１のレコードから離れる前記ユーザのナビゲーションを検出するための手段とを備え、前記ブラウザは、前記ユーザが、バック（back）キーの起動まで前記第１のレコードにアクセスしている継続時間を測定する、方法。
【請求項１０】
請求項９に記載の方法において、
前記ブラウザは、前記第１のレコードの前記継続時間データを保持するためのメモリをさらに備え、前記ユーザによるアクセスの継続期間を計時するクロックを起動するステップは、前記継続時間データを前記検索エンジンに定期的に通知するステップをさらに含む、方法。
【請求項１１】
ユーザにより検索エンジンを有するサーバにサブミットされる検索要求を処理する方法であって、
（ａ）第１の検索要求を受信するステップ、
（ｂ）前記第１の検索要求に合致する１つ又は２つ以上のレコードを識別する第１の結果セットを生成するステップ、
（ｃ）前記第１の結果セットの１つ又は２つ以上のサブセットを生成するステップであって、前記１つ又は２つ以上のサブセットは、前記第１の結果セットによって識別された前記レコードのサブセットにリンクを有するハイパーテキストドキュメントを含み、前記リンクのそれぞれは前記サーバを指し示す、ステップ、
（ｄ）第１の識別されたレコードに対する第１のリンク及び第２の識別されたレコードに対する第２のリンクを少なくとも含む第１のサブセットをユーザに提供するステップ、
（ｅ）ユーザが前記第１のリンクを選択することに応じて、前記第１の識別されたレコードのユーザアクセスの継続期間を計時するクロックを起動するステップ、
（ｆ）ユーザを前記第１の識別されたレコードにリダイレクトさせるステップ、
（ｇ）ユーザが前記第２のリンクを選択することに応じて、前記クロックを停止し、ユーザを前記第２の識別されたレコードにリダイレクトさせるステップであって、前記クロックは、前記第２の識別されたレコードのユーザアクセスの継続期間を計時するために起動される、ステップ、
（ｈ）前記第１のレコードへのリダイレクトと前記第２のレコードへのリダイレクトとの間の時間差を計算することにより、前記第１の識別されたレコードのユーザアクセスの継続期間を決定するステップ、
（ｉ）前記第１の識別されたレコードのアクセス継続期間を所定の関連性時間枠と比較するステップ、
（ｊ）前記レコードとのユーザインタラクションの継続期間が所定の関連性時間枠を超えると判定されることに応じて、前記第１の識別されたレコードに関連付けられているユーザインタラクションパラメータを選択的に更新するステップ、
（ｋ）ユーザからの第２の検索要求を受信することに応じて、複数のレコードを識別する第２の結果セットを生成するステップであって、前記第２の結果セットは、前記第１の結果セットによって識別される少なくとも１つのレコードを識別する第２のサブセットを有する、ステップ、及び
（ｌ）前記第２のサブセットをユーザに提示するステップであって、前記第２のサブセットの識別情報は、少なくも、
（１）前記第１の結果セットによって識別された少なくとも１つのレコードに関連付けられているユーザインタラクションパラメータ、及び
（２）検索結果リストにおけるドキュメントの順序を示すドキュメントナンバー
により順序付けられる、ステップ、
を含む、方法。
【請求項１２】
請求項１１に記載の方法であって、さらに
前記第１の結果セットの１つ又は２つ以上のレコードのランクを検出するステップ、及び第１のレコードがアクセスされる継続時間が所定の関連性時間枠を超えることに応じて、前記関連性時間枠を満たさなかったより高いランクを有するレコードの前記ユーザインタラクションパラメータに対して、前記第１のレコードに関連付けられている前記ユーザインタラクションパラメータを増加させるステップを含む、方法。
【請求項１３】
請求項１２に記載の方法において、
前記満たされなかった関連性時間枠は、前記レコードがアクセスされなかったことによるものである、方法。
【請求項１４】
請求項１１に記載の方法において、
前記クロックを起動するステップは、検索エンジンを有するプログラムによって実施される、方法。
【請求項１５】
請求項１１に記載の方法において、
前記クロックを起動するステップは、ユーザベースアプリケーションによって実施される、方法。
【請求項１６】
ユーザに対し検索結果をパーソナライズする方法であって、
（a）検索エンジンを有するサーバに検索要求を提供するステップ、
（ｂ）前記検索エンジンから検索結果のサブセットを受信するステップであって、前記サブセットは、前記検索要求を満たす関連ドキュメントに対応する１つ又は２つ以上のハイパーテキストリンクを含み、それぞれのリンクはそれに関連付けられているランクを有する、ステップ、
（ｃ）ユーザに対し前記ハイパーテキストリンクを表示するステップであって、前記ハイパーテキストリンクは、ドキュメントへのユーザアクセスの継続時間を計時するクロックを備えたブラウザにおいて表示される、ステップ、
（ｄ）ユーザが、対応するドキュメントにアクセスするため前記ハイパーテキストリンクの中の１つを選択することに応じて、前記クロックを起動して前記ドキュメントへのユーザアクセスの継続期間の計時を開始するステップ、
（ｅ）ユーザによるドキュメントから離れるナビゲーションに応じて、クロックを停止するステップであって、前記ドキュメントへのユーザアクセスの継続期間は前記クロックの起動から停止の間の経過期間の測定値を含む、ステップ、
（ｆ）前記ドキュメントに関連付けられたユーザインタラクションデータを結果キャッシュに格納するステップであって、前記ユーザインタラクションデータは、前記ドキュメントへのユーザアクセスの継続期間及び前記ドキュメントと関連付けられた前記ランクを含み、前記ランクは、検索結果リストにおいてドキュメントが提示された順序を示すナンバーを含む、ステップ、
（ｇ）ユーザによってアクセスされたハイパーテキストリンクのそれぞれについて上記ステップ（ｄ）〜（ｆ）を反復するステップ、及び
（ｈ）ユーザによってアクセスされた前記ハイパーテキストリンクのそれぞれに関連付けられたユーザインタラクションデータを前記サーバに提供するステップ、
を含む、方法。
【請求項１７】
請求項１６に記載の方法において、ユーザによってアクセスされた前記ハイパーテキストリンクのそれぞれに関連付けられた前記ユーザインタラクションデータは、ユーザが前記検索結果セットとのインタラクションを中断することに応じて、前記サーバに提供される、方法。
【請求項１８】
請求項１６に記載の方法であって、さらに、二次的リンクの選択に応じてクロックを起動して前記二次的リンクへのユーザアクセスの継続期間を計時するステップを含み、前記二次的リンクはアクセスされるドキュメントにおけるリンクを含む、方法。
【請求項１９】
請求項１８に記載の方法であって、さらに、前記二次的リンクに関連付けられたユーザインタラクションデータを格納するステップを含む、方法。
【請求項２０】
請求項１〜１９のいずれかに記載の方法を実施するためのコンピュータ実行可能命令を備える、１つ又は２つ以上のコンピュータ読み取り可能媒体。